(57)【特許請求の範囲】
【請求項１】
チャネル情報の取得方法であって、
１つのサブバンドに対して、端末ＵＥは現在のチャネルのランクインジケータＲＩの情報を取得し、その中、該ＲＩ情報に前記現在のチャネルのランクυを指示し、υは８以下の正整数であることと、
端末はυによって基地局にフィードバックする必要があるコードブックインデックスインジケータＰＭＩ情報の数を確定し、且つ前記数のＰＭＩ情報及び前記ＲＩ情報を前記基地局に送信することと、
基地局は前記数のＰＭＩ情報及び前記ＲＩ情報によって前記サブバンドのチャネル情報を取得することと、を含み
前記ＰＭＩ情報の数とは、一つのプリコーディング行列の取得に必要なＰＭＩ情報の数であり、或いは一つのプリコーディング行列の共同取得に必要なＰＭＩ情報の数であり、前記ＰＭＩ情報の数は整数であり、
端末はυによって基地局にフィードバックする必要があるＰＭＩ情報の数を確定するステップは
υ≧Ｎ０の場合に、該端末は基地局にフィードバックする必要があるＰＭＩ情報の数がｍであることを確定することと、
υ＜Ｎ０の場合に、該端末は基地局にフィードバックする必要があるＰＭＩ情報の数がｍ＋１であることを確定することと、を含み、
その中には、Ｎ０は０＜Ｎ０≦８の整数で、ｍは該端末のフィードバック精度の等級によって確定された整数である、
チャネル情報の取得方法。
【請求項２】
端末はυによって基地局にフィードバックする必要があるＰＭＩ情報の数を確定するステップは、
υ＜Ｎ１の場合に、該端末は基地局にフィードバックする必要があるＰＭＩ情報の数がｍ＋２であることを確定すること、
その中には、Ｎ１は０＜Ｎ１＜Ｎ０の整数であることをさらに含む請求項１に記載の方法。
【請求項３】
前記数のＰＭＩ情報は少なくとも第１のコードブックインデックスインジケータＰＭＩ１情報を含む請求項１に記載の方法。
【請求項４】
基地局は前記数のＰＭＩ情報及び前記ＲＩ情報によって前記サブバンドのチャネル情報を取得するステップは、
前記ＰＭＩ情報の数が１である場合に、基地局はＰＭＩ１情報とＲＩ情報によって第１のコードブックからコードワードＷ１を見つけ、該コードワードＷ１及びｎ−１個の行列の関数Ｆ（Ｗ１、Ｗ２、…、Ｗｎ）によって前記サブバンドのチャネル情報を取得し、或いは基地局は該コードワードＷ１を前記サブバンドのチャネル情報に示し、その中、前記ｎ−１個の行列は規定値で、ｎは整数であり、或いは基地局は該コードワードＷ１によって直接に前記サブバンドのチャネル情報を取得することと、
前記ＰＭＩ情報の数がｒである場合に、基地局は前記ＰＭＩ情報とＲＩ情報によって第１のコードブックからコードワードＷ１を見つけ、且つ前記ＰＭＩ情報以外の他のｒ−１個のＰＭＩ情報と対応するコードブックから前記他のｒ−１個のＰＭＩ情報と対応するｒ−１個の行列を見つけ、前記コードワードＷ１及び前記ｒ−１個の行列を含むｎ−１個の行列の関数Ｆ（Ｗ１、Ｗ２、…、Ｗｎ）によって前記サブバンドのチャネル情報を取得し、その中に、前記ｎ−１個の行列の中に前記ｒ−１個の行列以外の他のｎ−ｒ個の行列は規定値であり、或いは該基地局はコードワードＷ１及び前記ｒ−１個の行列の関数ｆ（Ｗ１、Ｗ２、…、Ｗｒ）によって前記サブバンドのチャネル情報を取得し、その中に、ｒは２以上の整数であることと、を含む請求項３に記載の方法。
【請求項５】
前記規定値は不変なベクトル或いは行列であり、或いは前記現在のチャネルのランクυによって異なる規定値であり、その中、υは前記ＲＩ情報が表示するチャネルのランクを表示する請求項４に記載の方法。
【請求項６】
【数１】
0005540147.tif 000013
【請求項７】
チャネル情報の配置方法であって、
基地局は配置シグナリングを送信し、該配置シグナリングによって、フィードバックする必要があるコードブックインデックスインジケータＰＭＩ情報の数を端末に指示することと、
端末は該配置シグナリングによって、前記基地局にフィードバックする必要があるＰＭＩ情報を確定し、且つ確定したＰＭＩ情報及び現在のチャネルのランクインジケータＲＩ情報を前記基地局にフィードバックすることと、
基地局は前記ＰＭＩ情報及びＲＩ情報によって、サブバンドのチャネル情報を取得することと、を含むチャネル情報の配置方法。
【請求項８】
基地局は、端末がフィードバックしたチャネルのランク或いは極性配置情報によって、端末がフィードバックする必要があるＰＭＩ情報の数を確定することをさらに含む請求項７に記載の方法。
【請求項９】
基地局が配置シグナリングを送信するステップにおいて、前記基地局は、該配置シグナリングを高層チャネル無線リソース制御ＲＲＣシグナリング、或いは物理ダウンリンク制御チャネルＰＤＣＣＨに載せて、端末に送信する請求項７に記載する方法。
【請求項１０】
チャネル情報の取得装置であって、
端末が送信したコードブックインデックスインジケータＰＭＩ情報と、現在のチャネルのランクインジケータＲＩ情報を受信するように設置される受信モジュールと、
前記受信モジュールが受信したＰＭＩ情報及びＲＩ情報によってサブバンドのチャネル情報を取得するように設置される取得モジュールと、を含み、
その中、前記ＰＭＩ情報の数は端末が現在のチャネルのランクυによって確定され、前記ＲＩ情報にはυを指示し、υは８以下の正整数であるチャネル情報の取得装置。
【請求項１１】
前記ＰＭＩ情報は少なくとも第１のコードブックインデックスインジケータＰＭＩ１情報を含み、
前記取得モジュールは、前記ＰＭＩ情報の数が１である場合に、前記ＰＭＩ１情報とＲＩ情報によって第１のコードブックからコードワードＷ１を見つけ、
該コードワードＷ１及びｎ−１個の行列の関数Ｆ（Ｗ１、Ｗ２、…、Ｗｎ）によって前記サブバンドのチャネル情報を取得し、或いは該コードワードＷ１を前記サブバンドのチャネル情報に表示し、その中、前記ｎ−１個の行列は規定値で、ｎは整数であり、或いは該コードワードＷ１によって前記サブバンドのチャネル情報を取得する、方式によってサブバンドのチャネル情報を取得するように設置される請求項１０に記載の装置。
【請求項１２】
前記ＰＭＩ情報は少なくとも第１のコードブックインデックスインジケータＰＭＩ１情報を含み、
前記取得モジュールは、前記ＰＭＩ情報の数がｒである場合に、該ＰＭＩ情報とＲＩ情報によって第１のコードブックからコードワードＷ１を見つけ、且つ前記ＰＭＩ１情報以外の他のｒ−１個のＰＭＩ情報に対応するコードブックから前記のほかのｒ−１個のＰＭＩ情報に対応するｒ−１個の行列を見つけ、
該コードワードＷ１と前記ｒ−１個の行列を含むｎ−１個の行列の関数Ｆ（Ｗ１、Ｗ２、…、Ｗｎ）とによって前記サブバンドのチャネル情報を取得し、その中に、該ｎ−１個の行列において前記ｒ−１個の行列以外の他のｎ−ｒ個の行列は規定値であり、或いは該コードワードＷ１及び該ｒ−１個の行列の関数ｆ（Ｗ１、Ｗ２、…、Ｗｒ）によってサブバンドのチャネル情報を取得し、その中、ｒは２以上の整数である、方式によってサブバンドのチャネル情報を取得するように設置される請求項１０に記載の装置。
【請求項１３】
チャネル情報の配置装置であって、
配置シグナリングを送信し、該配置シグナリングによって端末がフィードバックする必要があるコードブックインデックスインジケータＰＭＩ情報の数を指示し、これによって、前記端末は該配置シグナリングによってフィードバックする必要があるＰＭＩ情報を確定するように設置される送信モジュールと、
前記端末が送信したＰＭＩ情報及び現在のチャネルのランクインジケータＲＩ情報を受信するように設置される受信モジュールと、
前記受信モジュールが受信したＰＭＩ情報及びＲＩ情報によってサブバンドのチャネル情報を取得するように設置される取得モジュールとを含むチャネル情報の配置装置。
【請求項１４】
前記送信モジュールは前記端末がフィードバックしたチャネルのランク或いは極性配置情報によって該端末がフィードバックする必要があるＰＭＩ情報の数を確定するようにさらに設置される請求項１３に記載の装置。
【請求項１５】
前記送信モジュールは、前記配置シグナリングを高層チャネル無線リソース制御ＲＲＣシグナリング或いは物理ダウンリンク制御チャネルＰＤＣＣＨに載せて、端末に送信するように設置される請求項１３に記載の装置。
【発明の詳細な説明】
【技術分野】
【０００１】
本発明は通信分野に関し、特にチャネル情報の取得方法及び装置に関する。
【背景技術】
【０００２】
無線通信システムにおいて、送信端と受信端は空間多重化方式を採取して数本アンテナを使うことによって、さらに速度が速くなる。一般的な空間多重化の方法に対して、受信端は送信端にチャネル情報をフィードバックし、送信端は取得したチャネル情報によって、プリコーディング放送技術を使って、伝送性能を非常に多く向上させる強化技術がある。シングルユーザーに対するマルチ入力マルチ出力（ＳＵ−ＭＩＭＯ、その中のＭＩＭＯは、Ｍｕｌｔｉ−ｉｎｐｕｔ  Ｍｕｌｔｉ−ｏｕｔｐｕｔ  マルチ入力マルチ出力を示す）において、チャネルの固有ベクトル情報を直接に使ってプリコーディングを行い、マルチユーザーに対するＭＩＭＯ（ＭＵ−ＭＩＭＯ）において、比較的に正確なチャネル情報が必要とする。
【０００３】
３ＧＰＰロング・ターム・エボリューション（Ｌｏｎｇ  Ｔｅｒｍ  Ｅｖｏｌｕｔｉｏｎ、ＬＴＥと略称する）プランにおいて、チャネル情報のフィードバックは主に簡単なシングル・コードブックのフィードバック方法を利用し、且つＭＩＭＯのプリコーディング放送技術の性能は、さらにその中のコードブックがフィードバックされる正確度に依頼する。
【０００４】
ここでは、コードブックに基づくチャネル情報の量子化がフィードバックされた基本原理は以下のように簡単に記載され、フィードバックチャネル容量の制限はＢｂｐｓ／Ｈｚと仮定すると、使用可能なコードワードの数はＮ＝２Ｂ個である。チャネル行列の固有ベクトル空間は量子化されることによって、コードブック空間Ｒ＝｛Ｆ１，Ｆ２・・・ＦＮ｝を構成する。送信端と受信端は、このコードブック空間Ｒを共同的に保存し、或いはリアルタイムに生成する（送信端と受信端とが同じである）。毎回のチャネル実現Ｈに対して、受信端は一定の規則によってコードブック空間Ｒからチャネル実現と一番マッチングするコードワードＦを選出し、且つ該コードワードＦの順序番号ｉ（コードワードの順序番号）を送信端にフィードバックする。ここは、コードの順序番号はプリコーディング・マトリクス・インジケータ（Ｐｒｅｃｏｄｉｎｇ  Ｍａｔｒｉｘ  Ｉｎｄｉｃａｔｏｒ、ＰＭＩと略称する）と称する。送信端はこの順序番号ｉによって対応するプリコーディングのコードワードＦを見つけ、これによって、対応するチャネル情報をも取得し、Ｆはチャネルの固有ベクトル情報を表示する。
【０００５】
一般的に言えば、コードブック空間Ｒは複数のＲａｎｋに対応されるコードブックにさらに分けられ、いずれのＲａｎｋの下に対応される複数のコードワードは該Ｒａｎｋの下のチャネル固有ベクトルによって構成されるプリコーディング行列を量子化させる。チャネルのＲａｎｋの数が非零の固有ベクトルの数と等しくて、したがって、一般的にはＲａｎｋはＮである時、コードワードはＮ列がある。したがって、コードブックＲはＲａｎｋの違いによって複数のコードブックに分けられ、表１に示すようである。
【０００６】
表１、コードブックはＲａｎｋによって複数のサブコードブックに分けられて表示する。
【０００７】
【表１】
0005540147.tif 000002
【０００８】
その中には、Ｒａｎｋ＞１の場合に、記憶する必要があるがあるコードワードはすべて行列の形式であり、そのＬＴＥプロトコルにおけるコードワードはまさにこのコードブック量子化のフィードブック方法を採用し、ＬＴＥダウンリンク４の放送アンテナコードブックは表２に示すように、実際に、ＬＴＥの中のプリコーディングのコードブックとチャネル情報の量子化コードブックとの意味が同じであることが示される。以下の文で、一致にするため、ベクトルは次元が１である行列にも見なされる。
【０００９】
表２、ＬＴＥ  ダウンリンク４送信アンテナのコードブックの模式図
【００１０】
【表２】
0005540147.tif 000003
【００１１】
通信技術の発展にともなって、高級ロング・ターム・エボリューション（ＬＴＥ−Ａｄｖａｎｃｅｄ）においてスペクトル効率に対してより高い要求があるので、アンテナも８本に増加され、これに対して、チャネル情報の量子化フィードバックを行うのに８本の送信アンテナのコードブックフィードバックが設置されることが必要とする。
【００１２】
ＬＴＥの標準において、チャネル情報の最小のフィードバックの単位はサブバンド（Ｓｕｂｂａｎｄ）で、１つのサブバンドは若干のリソース・ブラック（Ｒｅｓｏｕｒｃｅ  Ｂｌｏｃｋ，ＲＢ）からなり、いずれのＲＢは複数のリソース要素（Ｒｅｓｏｕｒｃｅ  Ｅｌｅｍｅｎｔ、ＲＥ）からなる。ＲＥはＬＴＥにおける時間周波数リソースの最小単位で、ＬＴＥ−ＡにはＬＴＥのリソース表示方法を使い続ける。
【００１３】
従来の技術において、考えは、以前のシングル・コードブックのフィードバックの方式とより大きい区別があり、以下のように記載されることができ：端末（ＵＥ）は第１のコードブックインデックスインジケータ情報（ＰＭＩ１）をフィードバックし、基地局はＰＭＩ１によってコードブックＣ１における対応するコードワードＷＰＭＩ１を見つけて、ＵＥは、またほかの１つ或いは複数のコードブックインデックスインジケータ情報（ＰＭＩ１）をフィードバックし、ＰＭＩ２〜ＰＭＩｎ（それぞれ第２のコードブックインデックスインジケータ情報…第ｎコードブックインデックスインジケータ情報と称する）を表示し、基地局は対応するコードブックから対応のコードワードＷＰＭＩ２〜ＷＰＭＩｎを見つけ、関数関係Ｆ（ＷＰＭＩ１，ＷＰＭＩ２，……ＷＰＭＩｎ）を利用して１つの行列を構成することによってＳｕｂｂａｎｄのチャネル情報を表現する。２つのＰＭＩを例として、チャネル情報は乗積或いはクロネッカー（Ｋｒｏｎｅｃｋｅｒ）積（演算符号は丸囲みの×と表示する）などの各種の関数関係に表示されることができ：
【００１４】
【数１】
0005540147.tif 000004
【００１５】
複数のＰＭＩのフィードバックにそれぞれ各種のＰＭＩのフィードバック周期が配置され、有効的にフィードバックのリソースを利用することができ、フィードバック精度をさらに向上させることができ、且つコードワードの数が非常に多くのシングルフィードブックをデザインする必要もなく、該方法はコードブックのデザインの複雑さを減少させる。
【００１６】
しかし、従来の技術の問題は、このフィードバック方式はすべての状況に使われる必要があり、より高いＲａｎｋである場合に、ＰＭＩ２をフィードバックすることによって変わるＷＰＭＩ２を表現することによる性能ゲインは有限である。また、ＰＭＩ２のフィードバック量がより多くて、高Ｒａｎｋである場合によって多く応用されるのはシングルユーザーのＭＩＭＯ（ＳＵ−ＭＩＭＯ）で、フィードバックの精度にも要求が低い。
【発明の概要】
【発明が解決しようとする課題】
【００１７】
本発明は、チャネル情報の取得方法及び装置を提供し、従来の技術における需要によって弾力的にチャネル情報をフィードバックすることができないことを解決しようとする。
【課題を解決するための手段】
【００１８】
前記の技術問題を解決するため、本発明はチャネル情報の取得方法を提供し、
１つのサブバンドに対して、端末（ＵＥ）は現在のチャネルのランクインジケータ（ＲＩ）の情報を取得し、その中に、該ＲＩ情報は前記現在のチャネルのランク（υ）を示し、υは８以下の正整数であること、
端末はυによって基地局にフィードバックされる必要があるコードブックインデックスインジケータ（ＰＭＩ）情報の数を確定させ、且つ前記数のＰＭＩ情報及び前記ＲＩ情報を基地局に送信すること、
基地局は前記数のＰＭＩ情報及び前記ＲＩ情報によって前記サブバンドのチャネル情報を取得することを含む。
【００１９】
好ましくて、端末はυによって基地局にフィードバックされる必要があるＰＭＩ情報の数を確定するステップは、υ≧Ｎ０である場合、端末は該ＰＭＩ情報の数はｍと確定され、υ＜Ｎ０である場合、該端末は該ＰＭＩ情報の数はｍ＋１と確定され、その中には、Ｎ０は０を超え８以下の整数であり、ｍは整数で、且つ端末のフィードバック精度の等級によって確定させることを含む。好ましくて、端末はυによって基地局にフィードバックされる必要があるＰＭＩ情報の数を確定するステップは、υ＜Ｎ１である場合、端末は該ＰＭＩ情報の数はｍ＋２であり、その中には、Ｎ１はＮ未満０超えの整数であることをさらに含む。
【００２０】
好ましくて、該ＰＭＩ情報は、少なくとも第１のコードブックインデックスインジケータ（ＰＭＩ１）情報を含む。好ましくて、基地局はＰＭＩ情報及びＲＩ情報によってサブバンドのチャネル情報を取得するステップは、端末は該ＰＭＩ情報の数を１と確定する場合に、基地局はＰＭＩ１情報とＲＩ情報によって第１のコードブックからコードワードＷ１を見つけ、該コードワードＷ１及び共にｎ−１個の行列の関数Ｆ（Ｗ１、Ｗ２、…、Ｗｎ）によってサブバンドのチャネル情報を取得し、或いは基地局はコードワードＷ１をサブバンドのチャネル情報に表示し、その中、該ｎ−１個の行列は規定値（ｃｏｎｖｅｎｔｉｏｎ  ｖａｌｕｅｓ）で、ｎは整数であり、或いは基地局はコードワードＷ１によって直接にサブバンドのチャネル情報を取得し、端末は該ＰＭＩ情報の数はｒと確定する場合に、基地局はＰＭＩ１情報とＲＩ情報によって第１のコードブックからコードワードＷ１を見つけ、且つＰＭＩ１情報以外のほかのｒ−１個のＲＩ情報が対応するコードブックからｒ−１個のＰＭＩ１が対応するｒ−１個の行列を見つけ、該コードワードＷ１及び該ｒ−１個の行列を含むｎ−１個の行列の関数Ｆ（Ｗ１、Ｗ２、…、Ｗｎ）によってサブバンドのチャネル情報を取得し、その中、該ｎ−１個の行列の中において該ｒ−１個の行列以外のほかのｎ−ｒ個の行列は規定値であり、或いは基地局はコードワードＷ１及び該ｒ−１個の行列の関数ｆ（Ｗ１、Ｗ２、…、Ｗｒ）によってサブバンドのチャネル情報を取得し、その中に、ｒは２以上の整数であることを含む。好ましくて、規定値は不変的なベクトル或いは行列で、或いは現在のチャネルのランク（υ）によって異なる規定値で、その中、υはＲ１情報で表示されたチャネルのランクを表示する。
【００２１】
【数２】
0005540147.tif 000005
【００２２】
本発明はもう１つのチャネル情報の配置方法をさらに提供し、
基地局は配置シグナリングを送信し、該配置シグナリングによって端末がフィードバックする必要があるコードブックインデックスインジケータ（ＰＭＩ）情報の数を指示すること、
端末は配置シグナリングによって、基地局にフィードバックする必要があるＰＭＩ情報を確定させ、且つ確定したＰＭＩ情報及び現在のチャネルのランクインジケータ（ＲＩ）情報を基地局にフィードバックすること、
基地局は該ＰＭＩ情報及びＲＩ情報によって、サブバンドのチャネル情報を取得することを含む。
【００２３】
好ましくて、該方法は、基地局は端末がフィードバックしたチャネルのランク、或いは極性配置情報によってフィードバックする必要があるＰＭＩ情報の数を確定することをさらに含む。
【００２４】
好ましくて、基地局は配置シグナリングを高層のチャネル無線リソース制御ＲＲＣシグナリング或いは物理ダウンリンク制御チャネル（ＰＤＣＣＨ）に載せ、該端末に送信することを含む。
【００２５】
本発明は、チャネル情報の取得装置をさらに提供し、
端末が送信するコードブックインデックスインジケータ（ＰＭＩ）情報と現在のチャネルのランクインジケータ（ＲＩ）情報を受信するように設置される受信モジュールと、
前記受信モジュールが受信されたＰＭＩ情報及びＲＩ情報によってサブバンドのチャネル情報を取得するように設置される取得モジュールとを含み、
その中、ＰＭＩ情報の数は端末によって現在のチャネルのランク（υ）によって確定され、該ＲＩ情報の中にυを指示し、υは８以下の正整数である。
【００２６】
好ましくて、ＰＭＩ情報は少なくとも第１のコードブックインデックスインジケータＰＭＩ１情報を含み、取得モジュールは以下の方式によってサブバンドのチャネル情報を取得するように設置され、端末がＰＭＩ情報の数を１と確定する場合に、該ＰＭＩ１情報と該ＲＩ情報によって第１のコードブックからコードワードＷ１を見つけ、該コードワードＷ１及び共にｎ−１個の行列の関数Ｆ（Ｗ１、Ｗ２、…、Ｗｎ）によってサブバンドのチャネル情報を取得し、或いは該コードワードＷ１をサブバンドのチャネル情報に表示し、その中、該ｎ−１個の行列は規定値であり、ｎは整数であり、或いは該コードワードＷ１によってサブバンドのチャネル情報を取得する。
【００２７】
好ましくて、ＰＭＩ情報は少なくとも第１のコードブックインデックスインジケータＰＭＩ１情報を含み、取得モジュールは以下の方式によってサブバンドのチャネル情報を取得するように設置され、端末がＰＭＩ情報の数をｒと確定する場合に、該ＰＭＩ１情報と該ＲＩ情報によって第１のコードブックからコードワードＷ１を見つけ、且つ該ＰＭＩ１情報以外のほかのｒ−１個のＰＭＩ情報が対応するコードブックからほかのｒ−１個のＰＭＩ情報が対応するｒ−１個の行列を見つけ、該コードワードＷ１及び該ｒ−１個の行列を含むｎ−１個の行列の関数Ｆ（Ｗ１、Ｗ２、…、Ｗｎ）によってサブバンドのチャネル情報を取得し、その中、該ｎ−１個の行列には、該ｒ−１個の行列以外のほかのｎ−ｒ個の行列は規定値であり、或いはコードワードＷ１及び該ｎ−１個の行列の関数ｆ（Ｗ１、Ｗ２、…、Ｗｎ）によってサブバンドのチャネル情報を取得し、その中、ｒは２以上の整数である。
【００２８】
前記の技術問題を解決するため、本発明はチャネル情報の配置装置をさらに提供し、
配置シグナリングを送信し、該配置シグナリングによって端末がフィードバックする必要があるコードブックインデックスインジケータ（ＰＭＩ）情報の数を指示し、これによって、端末は該配置シグナリングによってフィードバックする必要があるＰＭＩ情報を確定するように設置される送信モジュールと、
該端末が送信したＰＭＩ情報及び現在のチャネルのランクインジケータ（ＲＩ）情報を受信するように設置される受信モジュールと、
受信モジュールが受信されたＰＭＩ情報及びＲＩ情報によってサブバンドのチャネル情報を取得するように設置される取得モジュールとを含む。
【００２９】
好ましくて、送信モジュールは、さらに、端末がフィードバックされたチャネルのランク或いは極性配置情報によって端末がフィードバックする必要がある該ＰＭＩ情報の数を確定するように設置される。
【００３０】
好ましくて、送信モジュールは、配置シグナリングを高層チャネルＲＲＣシグナリング或いは物理ダウンリンク制御チャネル（ＰＤＣＣＨ）に載せ、端末に送信するように設置される。
【発明の効果】
【００３１】
従来の技術と比較すると、本発明の技術案は、８本のアンテナの状態でチャネル情報の取得方法及び装置を提供し、多種のフィードバック精度を提供することができ、具体的な需要によって弾力的に異なる精度のフィードバックを配置することができ、有効的にフィードバックのオーバヘッドを利用することになる。
【００３２】
本発明のほかの特徴と利点は、次の明細書に記載され、且つ、部分的に明細書に明らかにして、或いは本発明を実施することによって理解する。本発明の目的とほかの利点は明細書、請求項及び図面に特に示した構造によって、実現と取得することができる。
【００３３】
図面は、本発明をさらに理解するために含まれており、且つ明細書に包含され、その一部を構成し、本発明の実施例とともに本発明を解釈するためのものであり、本発明を制限するものではない。
【図面の簡単な説明】
【００３４】
【図１】図１は、本発明の実施例１のフローチャート模式図である。
【図２】図２は、本発明の実施例２のフローチャート模式図である。
【図３】図３は、本発明の実施例５のフローチャート模式図である。
【図４】図４は、本発明の実施例６のフローチャート模式図である。
【発明を実施するための形態】
【００３５】
以下、図面及び実施例を合わせて本発明の実施形態を詳しく説明し、これによって、本発明は如何に技術手段を応用して技術問題を解決し、技術効果の実現過程を十分に理解した上で実施する。
【００３６】
先ず、矛盾がなければ、本発明の実施例及び実施例における各の特徴は相互に結合することができ、すべて本発明の保護範囲の内にある。また、図面のフローチャート模式図に示したステップは例えば一組のコンピューターがシグナリングを実行することができるコンピューターシステムに実施されることができ、且つ、フローチャート模式図において論理的な順序を示したが、これと異なる順序で示された或いは描かれたステップを実行できる場合もある。
【００３７】
従来の技術において、前記のチャネル情報のフィードバックが弾力の面に欠陥がある以外、発明者の研究によって、端末（ＵＥ）と進化型基地局（ｅＮｏｄｅＢ、基地局も称する）とも二重極性（ＵＥと進化型基地局とも二重極性アンテナを採用する）である場合に、ＰＭＩ２をフィードバックするのも少ないゲインをもたらすことを発見した。さらに、複数のＰＭＩのフィードバックを使う需要がない場合もあり、より低いフィードバックの精度が需要である場合、いつも複数のＰＭＩのフィードバックとすれば、コストが無駄になる。
【００３８】
ＵＥはチャネルのランク情報（ＲＩ）υ、コードブックインデックスインジケータ情報ＰＭＩ１、コードブックインデックスインジケータ情報ＰＭＩ２〜ＰＭＩｎの中の少なくとも１つをフィードバックする。ＵＥはυ、或いはυ及びほかの情報によって、フィードバックする必要があるＰＭＩを判断する。
【００３９】
ＵＥは１つのＰＭＩをフィードバックすることを判断する場合、ＵＥはＰＭＩ１をフィードバックし、基地局はＲＩとＰＭＩ１によって第１のコードブックから１つのコードワードＷ１を見つけ、且つＷ２〜Ｗｎを規定値とする。基地局はＦ（Ｗ１、Ｗ２、…、Ｗｎ）によってＳｕｂｂａｎｄのチャネル情報を取得し、或いはＷ１を利用して直接にチャネル情報を表示する。
【００４０】
ＵＥはｒ個のＰＭＩをフィードバックすることを判断する場合、ＵＥはＰＭＩ１を含む複数のＰＭＩをフィードバックし、基地局はＲＩとＰＭＩ１によって第１のコードブックから１つのコードワードＷ１を見つける。且つＰＭＩ２〜ＰＭＩｒによって対応するコードブックから対応する行列Ｗ２〜Ｗｒを見つける。Ｗｒ＋１〜Ｗｎは規定値とする。基地局はＦ（Ｗ１、Ｗ２、…、Ｗｎ）によってＳｕｂｂａｎｄのチャネル情報を取得する。或いは基地局はｆ（Ｗ１、Ｗ２、…、Ｗｎ）だけによってチャネル情報を表示する。ｎは２以上の整数で、ｒはｎ以下且つ１以上である。
【００４１】
前記規定値は不変的な規定ベクトル、或いは行列であってもよく、より好ましくは単位行列であってもよい。
【００４２】
前記規定値はＲ１の値υによって違う規定値があってもよい。
【００４３】
前記基地局はυによって判断され、υは条件υ＜Ｎ０を満足する時、ｍ個だけのＰＭＩをフィードバックし、満足しないと、ｍ＋１個のＰＭＩをフィードバックし、ｍの値はほかの情報によって決める。Ｎ０は２、３、４、或いは５のいずれであってもよい。
【００４４】
或いは、υは条件υ＞＝Ｎ０を満たす場合に、ｍ個だけのＰＭＩをフィードバックし、Ｎ１＜＝υ＜Ｎ０の場合に、ｍ＋１個のＰＭＩをフィードバックし、υ＜Ｎ１である場合に、ｍ＋２個のＰＭＩをフィードバックする。
【００４５】
ｍの値は他の情報、例えばＵＥのフィードバック精度の等級によって決められる。
【００４６】
或いは、以下の方法を採用し：
Ｓｕｂｂａｎｄのチャネル情報に対して、基地局は配置シグナリングを送信し、ＵＥはフィードバックする必要があるコードブックインデックスインジケータ情報ＰＭＩ１〜ＰＭＩｎにおけるｒ個、すなわちＰＭＩ１〜ＰＭＩｒを配置するためである。ＵＥは配置シグナリングによって、ｒ個のコードブックインデックスをフィードバックし、ｒは１以上且つｎ以下である。
【００４７】
配置はｒ個のＰＭＩをフィードバックすることである時、ＵＥは少なくともＰＭＩ１及びＲＩ情報をフィードバックし、基地局はＲＩとＰＭＩ１によって第１コードブックから１つのコードワードＷ１を見つける。ｒは１に等しくない場合に、ＵＥはＰＭＩ２〜ＰＭＩｒをさらにフィードバックする必要があり、基地局はＰＭＩ２〜ＰＭＩｒによって対応するコードブックから対応する行列Ｗ２〜Ｗｒを見つける。
【００４８】
Ｗｒ＋１〜Ｗｎは規定値であり、基地局はＦ（Ｗ１、Ｗ２、…Ｗｎ）によってＳｕｂｂａｎｄのチャネル情報を取得する。
【００４９】
或いは、基地局はｆ（Ｗ１、Ｗ２、…、Ｗｒ）によってチャネル情報を取得し、ｒは１である場合に、Ｗ１は直接にチャネル情報を表示する。
【００５０】
さらに、前記規定値は不変な規定ベクトル或いは行列であってもよい。
【００５１】
さらに、前記規定値はさらに異なるＲ１によって異なる規定値があってもよい。
【００５２】
より好ましくて、基地局が送信した配置シグナリングはダウンリンク制御チャネルＰＤＣＣＨに載せられる。
【００５３】
より好ましくて、基地局が送信した配置シグナリングは高層チャネルＲＲＣシグナリングに載せられる。
【００５４】
より好ましくて、基地局はＲＩ情報によってｒ値を配置する。
【００５５】
より好ましくて、基地局は極性情報によってｒ値を配置する。
【００５６】
本発明の技術案において、Ｓｕｂｂａｎｄのチャネル情報に対して、ＵＥは現在のチャネルのランクインジケータ（ＲＩ）情報を取得し、該ＲＩ情報の中から現在のチャネルのランク（υ）を取得し、υによって基地局にフィードバックされる必要があるＰＭＩの数を確定する。υ＞＝Ｎ０である場合に、ＵＥは基地局にｍ個のコードブックインデックスインジケータ（ＰＭＩ）情報と該ＲＩをフィードバックし、υ＜Ｎ０である場合に、ＵＥは基地局にｍ＋１個のＰＭＩ情報と該ＲＩ情報をフィードバックし、その中、ｍはＵＥのフィードバック精度の等級などの情報によって確定され、Ｎ０は０超え且つ８以下の整数で、例えば、値は２、３、４、５などを取ることができる。
【００５７】
本発明の技術案において、υは条件υ＜Ｎ０を満たす場合に、
υは条件Ｎ１＜＝υ＜Ｎ０を満たす場合、ＵＥは基地局にｍ＋１個のＰＭＩ情報と該ＲＩ情報をフィードバックし、Ｎ１は０超え且つＮ０未満の整数であること、
υは条件υ＜Ｎ１を満たす場合、ＵＥは基地局にｍ＋２個のＰＭＩ情報と該ＲＩ情報をフィードバックすること、をさらに含める。
【００５８】
ＵＥは１個のＰＭＩをフィードバックすることを判断する時、ＵＥは第１のコードブックインデックスインジケータ（ＰＭＩ１）情報をフィードバックし、基地局はＲＩとＰＭＩ１によって第１のコードブックから１つのコードワードＷ１（あるいは行列Ｗ１を称する）を見つけ、他の行列Ｗ２〜Ｗｎは規定値であり、その中、ｎは２以上の整数である。基地局はすべてのｎ個のコードワードＷ１、Ｗ２、…及びＷｎの関数Ｆ（Ｗ１、Ｗ２、…、Ｗｎ）によってＳｕｂｂａｎｄのチャネル情報を取得し、或いは直接にＷ１を該チャネル情報に表示する。
【００５９】
ＵＥはｒ個のＰＭＩをフィードバックすることを判断する場合、ＵＥはＰＭＩ１を含む複数のＰＭＩをフィードバックし、基地局はＲＩとＰＭＩ１によって第１のコードブックから１つのコードワードＷ１を見つけ、且つＰＭＩ２〜ＰＭＩｒによって対応するコードブックから対応する行列Ｗ２〜Ｗｒ（ｒはｎ以下且つ２以上である）を見つけ、他のコードワードＷｒ＋１〜Ｗｎは規定値である。基地局はすべてのｎ個のコードワードＷ１、Ｗ２、…及びＷｎの関数Ｆ（Ｗ１、Ｗ２、…、Ｗｎ）によってＳｕｂｂａｎｄのチャネル情報を取得し、或いは該ｒ個のコードワードＷ１、Ｗ２、…及びＷｒの関数ｆ（Ｗ１、Ｗ２、…、Ｗｒ）によってＳｕｂｂａｎｄのチャネル情報を取得する。
【００６０】
前記規定値は不変の規定ベクトル或いは行列であってもよく、より好ましくは単位行列であってもよい。
【００６１】
前記規定値はυによって異なる規定値があってもよい。
【００６２】
本発明のもう１つの技術案において、Ｓｕｂｂａｎｄのチャネル情報に対して、基地局は配置シグナリングを送信し、該配置シグナリングは、ＵＥがフィードバックする必要があるコードブックインデックスインジケータ情報ＰＭＩ１〜ＰＭＩｎにおけるｘ個を配置するためであり、それぞれＰＭＩ１〜ＰＭＩｘと識別され、その中、ｘは１以上ｎ以下であり、ｎは２以上の整数である。ＵＥは該配置シグナリングを受信すると、該配置シグナリングの指示によって、基地局に該ＰＭＩ１〜ＰＭＩｘの共ｘ個のコードブックインデックスインジケータ情報、及び現在のチャネルのランクインジケータ（ＲＩ）情報をフィードバックする。
【００６３】
配置シグナリングにＵＥがｘ個のＰＭＩ情報をフィードバックする必要があることを指示する時、該ｘ個のＰＭＩ情報は少なくとも第１のコードブックインデックスインジケータ（ＰＭＩ１］情報をフィードバックする。該ＰＭＩ１に対して、基地局はＲＩ情報とＰＭＩ１情報によって第１のコードブックから１つのコードワードＷ１を見つける。ｘは１に等しくない場合に、ＵＥはさらに第２コードブックインデックスインジケータ（ＰＭＩ２）情報、第３のコードブックインデックスインジケータ（ＰＭＩ３）情報、…、第ｘのコードブックインデックスインジケータ（ＰＭＩｘ）情報までをフィードバックする必要があり、基地局は該ＰＭＩ２〜ＰＭＩｘによって対応するコードブックから対応する行列Ｗ２〜Ｗｘを見つける。Ｗｘ＋１〜Ｗｎは規定値である。
【００６４】
基地局はＷ１、Ｗ２、……Ｗｎの共ｎ個のＰＭＩ情報の関数Ｆ（Ｗ１、Ｗ２、…、Ｗｎ）によってＳｕｂｂａｎｄのチャネル情報を取得し、
或いは、基地局は該Ｗ１、Ｗ２、……Ｗｘの共ｘ個のＰＭＩ情報の関数ｆ（Ｗ１、Ｗ２、…、Ｗｘ）によってＳｕｂｂａｎｄのチャネル情報を取得し、
ｘは１である場合に、Ｗ１によって直接にＳｕｂｂａｎｄのチャネル情報を表示することができる。
【００６５】
前記規定値は不変の規定ベクトル或いは行列であってもよく、より好ましくて、前記規定値はυによって異なる規定値があってもよい。
【００６６】
より好ましくて、基地局が送信した該配置シグナリングはダウンリンク制御チャネル（ＰＤＣＣＨ）に載せらるが、高層チャネルＲＲＣシグナリングに載せられてもよい。
【００６７】
より好ましくて、基地局はＲＩ情報によって数ｘを確定することができ、極性情報によって該数ｘを配置することもできる。
【００６８】
実施例１、チャネル情報の取得方法は、図１に示すように、主に、
ＵＥはパイロットとチャネル推定によってチャネル情報を取得し、かつ現在のチャネルのランクインジケータ（ＲＩ）情報によって、現在のチャネルのランク（υ）とＮ０の大きさ関係を判断し、υ＞＝Ｎ０を満たす場合に、ステップＳ１２０に移転し、満足しない場合に、（即ちυ＜Ｎ０）であると、Ｓ１４０に移転するステップＳ１１０と、
ＵＥは１つのＰＭＩ値をフィードバックし、基地局（ｅＮｏｄｅＢ）にＰＭＩ１とＲＩをフィードバックし、υ＞＝Ｎ０である場合は、より多くにＳＵ−ＭＩＭＯ（シングルユーザーＭＩＭＯ）の場合に適用され、フィードバック精度の要求が高くなく、ＵＥは１つのＰＭＩを選んでチャネル情報のフィードバックを行うステップＳ１２０と、
基地局はＰＭＩ１とＲＩを受信すると、ＰＭＩ１とＲＩによって規定したコードブックから対応するコードワードＷ１を見つけ、且つ該コードワードＷ１をチャネル情報として、完了するステップＳ１３０と、
ＵＥは２つのＰＭＩ値をフィードバックし、基地局にＰＭＩ１、ＰＭＩ２及びＲＩをフィードバックし、υ＜Ｎ０の場合は、より多くにＭＵ−ＭＩＭＯ（マルチユーザーＭＩＭＯ）の場合に適用され、フィードバック精度の要求が高く、ＵＥは２つのＰＭＩを選択してチャネル情報のフィードバックを行うことができるステップＳ１４０と、
【００６９】
【数３】
0005540147.tif 000006
【００７０】
実施例２、チャネル情報を取得する方法は、図２に示すように、主に、
ＵＥはパイロットとチャネル推定によってチャネル情報を取得し、且つ現在のチャネルのランクインジケータ（ＲＩ）情報によって、現在のチャネルのランク（υ）とＮ０の大きさ関係を判断し、υ＞＝Ｎ０を満たすと、ステップＳ２２０に移転し、満足しないと、（即ちυ＜Ｎ０）であると、Ｓ２４０に移転するステップＳ２１０と、
ＵＥは１つのＰＭＩ値をフィードバックし、基地局（ｅＮｏｄｅＢ）にＰＭＩ１とＲＩをフィードバックし、υ＞＝Ｎ０の場合は、より多くにＳＵ−ＭＩＭＯ（シングルユーザーＭＩＭＯ）の場合に適用され、フィードバックの精度の要求が高くなく、ＵＥは１つのＰＭＩを選んでチャネル情報のフィードバックを行うステップＳ２２０と、
基地局はＰＭＩ１とＲＩを受信すると、該ＰＭＩ１とＲＩによって規定したコードブックから対応するコードワードＷ１を見つけ、且つ該コードワードＷ１をチャネル情報として、完了するステップＳ２３０と、
ＵＥはυとＮ１の大きさ関係をさらに判断し、Ｎ１＜＝υ＜Ｎ０を満たすと、Ｓ２５０に移転し、満足しないと、Ｓ２７０に移転し、その中、より好ましくて、Ｎ１は３（もう１つの実施例に、Ｎ１は２に等しいである）に等しいステップＳ２４０と、
ＵＥは２つのＰＭＩ値をフィードバックし、基地局にＰＭＩ１、ＰＭＩ２及びＲＩをフィードバックし、υ＜Ｎ０の場合は、より多くにＭＵ−ＭＩＭＯ（マルチユーザーＭＩＭＯ）の場合に適用され、フィードバック精度の要求が高く、ＵＥは２つのＰＭＩを選択してチャネル情報のフィードバックを行うステップＳ２５０と、
【００７１】
【数４】
0005540147.tif 000007
【００７２】
ＵＥは基地局にＰＭＩ１、ＰＭＩ２、ＰＭＩ３（チャネルに関する情報である）とＲＩをフィードバックし、υ＜Ｎ１に対して、この時はフィードバック精度の要求がより高いだけでなく、Ｎ１＜＝υ＜Ｎ０の場合に対して、さらに、チャネルに関する情報を利用することもでき、さらにフィードバック精度を向上させることができ、従って、３つのＰＭＩを需要し、ＵＥは３つのＰＭＩを選択してチャネル情報のフィードバックを行うステップＳ２７０と、
【００７３】
【数５】
0005540147.tif 000008
【００７４】
実施例３、チャネル情報の取得方法であって、一部のステップは前記の実施例１と同じで、実施例１との主な区別は以下のようであり、
υ＜Ｎ０の場合に、基地局はＰＭＩ１、ＰＭＩ２及びＲＩを受信すると、該ＰＭＩ１、ＰＭＩ２及びＲＩによって規定したコードブックから対応するＷ１とＷ２を見つけ、且つＷ１×Ｗ２×Ｇによってチャネル情報を取得し、その中、Ｇは固定行列（例えば単位行列）である。
【００７５】
本実施例の技術案は、前記実施例２におけるＮ１＜＝υ＜Ｎ０の場合にも適用され、即ち本発明の他のいずれの実施例は、その一部のステップは前記の実施例２と同じで、実施例２との主な区別は以下のようであり、
Ｎ１＜＝υ＜Ｎ０の場合に、基地局はＰＭＩ１、ＰＭＩ２及びＲＩを受信すると、該ＰＭＩ１、ＰＭＩ２及びＲＩによって規定したコードブックから対応するＷ１及びＷ２を見つけ、且つＷ１×Ｗ２×Ｇによってチャネル情報を取得し、その中、Ｇは固定行列（例えば単位行列）である。
【００７６】
【数６】
0005540147.tif 000009
【００７７】
実施例５、チャネル情報の取得方法であって、図３に示すように、該配置方法は、主に、ＵＥはパイロットとチャネル推定によってチャネル情報を取得し、且つ現在のチャネルのランクインジケータ（ＲＩ）情報を基地局（ｅＮｏｄｅＢ）にフィードバックするステップＳ３１０と、
基地局はＵＥがフィードバックされた該ＲＩによってＵＥがフィードバックする必要があるコードブックインデックスインジケータ情報の数ｘを確定し、該数ｘを配置シグナリングによってＵＥに送信され、その中、ｘは１に等しい時、ステップＳ３３０に移転し、１に等しくない時、ステップＳ３５０に移転するステップＳ３２０と、
具体的の応用において、基地局は該ＲＩによって現在のチャネルのランク（υ）を取得し、υ＞＝Ｎ０の場合に、該基地局はＵＥがフィードバックする必要があるコードブックインデックスインジケータ情報の数ｘを１に等しいであることを確定し、ではないと、該基地局はＵＥがフィードバックする必要があるコードブックインデックスインジケータ情報の数ｘを２に等しいであることを確定し、
υ＞＝Ｎ０の場合は、より多くにＳＵ−ＭＩＭＯ（シングルユーザーＭＩＭＯ）の場合に適用され、フィードバック精度の要求が高くなく、ＵＥは１つのＰＭＩを選択してチャネル情報のフィードバックを行うことができ、
υ＜Ｎ０の場合はより多くにＭＵ−ＭＩＭＯ（マルチユーザーＭＩＭＯ）の場合に適用され、フィードバック精度の要求が高くなくて、ＵＥは２つのＰＭＩを選択してチャネル情報のフィードバックを行うことができ、
ＵＥは該配置シグナリングを受信し、その中の数ｘが１であることを取得し、基地局にＰＭＩ１とＲＩをフィードバックするステップＳ３３０と、
基地局はＰＭＩ１とＲＩを受信すると、該ＰＭＩ１とＲＩによって規定したコードブックから対応するコードワードＷ１を見つけ、且つ該コードワードＷ１をチャネル情報として、完了するステップＳ３４０と、
ＵＥは配置シグナリングを受信すると、その中の数ｘは２と等しいであることを取得し、ＵＥは２つのＰＭＩ値をフィードバックし、基地局にＰＭＩ１、ＰＭＩ２及びＲＩをフィードバックするステップＳ３５０と、
【００７８】
【数７】
0005540147.tif 000010
【００７９】
実施例６、チャネル情報の取得方法であって、図４に示すように、該配置方法は、主に、
ＵＥはパイロットとチャネル推定によってチャネル情報を取得し、且つ現在のチャネルのランクインジケータ（ＲＩ）情報によって基地局（ｅＮｏｄｅＢ）にフィードバックするステップＳ４１０と、
基地局はＵＥがフィードバックする該ＲＩによってＵＥがフィードバックする必要があるコードブックインデックスインジケータ情報の数ｘを確定し、該数ｘを配置シグナリングによってＵＥに送信し、その中、ｘは１に等しい時、ステップＳ４３０に移転し、ｘが２に等しい時に、ステップＳ４５０に移転し、ｘが３に等しい時に、ステップＳ４７０に移転するステップＳ４２０と、具体的な応用において、基地局は該ＲＩによって現在のチャネルのランク（υ）を取得し、υ＞＝Ｎ０の場合に、基地局はＵＥがフィードバックする必要があるコードブックインデックスインジケータ情報の数ｘが１に等しいであることを確定し、Ｎ１＜＝υ＜Ｎ０の場合に、該基地局はＵＥがフィードバックする必要があるコードブックインデックスインジケータ情報の数ｘが２に等しいであることを確定し、υ＜Ｎ１の場合に、該基地局は、ＵＥがフィードバックする必要があるコードブックインデックスインジケータ情報の数ｘが３に等しいであることを確定し、本実施例において、より好ましくて、Ｎ０は５に等しいであり、Ｎ１は３（その他のある実施例において、より好ましくて、Ｎ１は２に等しいである）に等しいであり、
υ＞＝Ｎ０の場合は、より多くにＳＵ−ＭＩＭＯ（シングルユーザーＭＩＭＯ）の場合に適用され、フィードバック精度の要求が高くなく、ＵＥは１つのＰＭＩを選択してチャネル情報のフィードバックを行い、
Ｎ１＜＝υ＜Ｎ０の場合は、より多くにＭＵ−ＭＩＭＯ（マルチユーザーＭＩＭＯ）の場合に適用され、フィードバック精度の要求が高く、ＵＥは２つのＰＭＩを選択してチャネル情報のフィードバックを行うことができ、
υ＜Ｎ１の場合に、フィードバック精度の要求が高いだけでなく、Ｎ１＜＝υ＜Ｎ０の場合に対して、チャネルに関する情報をさらに利用することができ、フィードバック精度をさらに向上させ、したがって、３つのＰＭＩを需要し、ＵＥは３つのＰＭＩを選択してチャネル情報のフィードバックを行うことができ、
ＵＥは該配置シグナリングを受信し、その中の数ｘが１に等しいことを取得し、基地局にＰＭＩ１とＲＩをフィードバックするステップＳ４３０と、
基地局はＰＭＩ１とＲＩを受信すると、該ＰＭＩ１とＲＩによって規定したコードブックから対応するコードワードＷ１を見つけ、且つ該コードワードＷ１をチャネル情報として、完了するステップＳ４４０と、
ＵＥは該配置シグナリングを受信すると、その中の数ｘは２に等しいであることを取得し、基地局にＰＭＩ１、ＰＭＩ２及びＲＩをフィードバックするステップＳ４５０と、
【００８０】
【数８】
0005540147.tif 000011
【００８１】
ＵＥは該配置シグナリングを受信すると、その中の数ｘは３に等しいことを取得し、基地局にＰＭＩ１、ＰＭＩ２、ＰＭＩ３（チャネルに関する情報である）とＲＩをフィードバックするステップＳ４７０と、
【００８２】
【数９】
0005540147.tif 000012
【００８３】
実施例７、チャネル情報の取得方法であって、一部のステップが前記の実施例５と同じで、実施例５との主な区別は以下のようであり、
基地局はＵＥがフィードバックした該ＲＩによってＵＥのフィードバックする必要があるコードブックインデックスインジケータ情報の数ｘを確定することではなく、極性配置情報によって該数ｘを確定する。本実施例において、基地局は送信端が二重極性配置で、かつ受信端は二重極性配置ではないことを判断する時、ｍ＋１個のＰＭＩをフィードバックし、ｘ＝ｍ＋１であり、ではないと、ｍ個のＰＭＩをフィードバックし、その受信端の極性情報はＵＥのフィードバックすることによって取得する。
【００８４】
本実施例の技術案は、前記実施例６におけるＮ１＜＝ＲＩ＜Ｎ０の場合にも適用され、即ち本発明のほかのある実施例は、その一部のステップが前記の実施例６と同じで、実施例６との主な区別は以下のようであり、
基地局はＵＥがフィードバックした該ＲＩによってＵＥのフィードバックする必要があるコードブックインデックスインジケータ情報の数ｘを確定しではなく、極性配置情報によって該数ｘを確定する。本実施例において、基地局は送信端が二重極性配置で、且つ受信端は二重極性配置ではないことを判断する時、ｍ＋１個のＰＭＩをフィードバックし、ｘ＝ｍ＋１であり、ではないと、ｍ個のＰＭＩをフィードバックし、その中、受信端の極性情報はＵＥのフィードバックすることによって取得することができる。
【００８５】
前記実施例において、基地局は該配置シグナリングを高層チャネルＲＲＣシグナリングに載せてＵＥに送信することができる。ＲＲＣシグナリングはＬＴＥに定義されたシグナリングで、ＬＴＥ−Ａに使い続けられる。ＲＩが長期的に変わらないチャネルに対して、高層チャネルに載せることによって、配置のオーバヘッドを減少することができる。
【００８６】
前記実施例において、基地局は該配置シグナリングを物理層の物理ダウンリンク制御チャネル（ＰＤＣＣＨ）に載せてＵＥに送信することができる。ＰＤＣＣＨチャネルはＬＴＥにおける物理層の定義されたダウンリンク制御チャネルであり、ＬＴＥ−Ａの中にも対応するダウンリンク制御チャネルがある。あるＲＩは容易的に変化するチャネルに対して、物理層シグナリングに載せることによって、ＲＩの値によってフィードブックされたＰＭＩの数をちゃんと配置することができる。
【００８７】
前記の実施例において、より好ましくはＰＭＩの数が２である場合に、基地局はチャネル情報を配置する時、より好ましくて１ビット（ｂｉｔ）を使って配置を行い、より好ましくは一番のＰＭＩの数が３である場合に、基地局はチャネル情報を配置する時、好ましくて２ビット（ｂｉｔ）を使って配置を行う。
【００８８】
実施例７、チャネル情報であって、該装置は、
端末が送信した一定の数のコードブックインデックスインジケータ（ＰＭＩ）情報と現在チャネルのランクインジケータＲＩ情報を受信するように設置される受信モジュールと、
該受信モジュールに接続され、該一定の数のＰＭＩ情報及び該ＲＩ情報によってサブバンドのチャネル情報を取得するように設置される取得モジュールと、を含み、
その中に、該端末は現在のランク（υ）によってＰＭＩ情報の数を確定し、該ＲＩ情報の中にυを指示し、υは８以下の正整数である。
【００８９】
その中に、該取得モジュールは、以下の方式によってサブバンドのチャネル情報を取得するように設置され：端末はＰＭＩ情報の数は１と確定する場合に、ＰＭＩ１情報とＲＩ情報によって第１のコードブックからコードワードＷ１を見つけ、該コードワードＷ１及び共ｎ−１個の行列関数Ｆ（Ｗ１、Ｗ２、…、Ｗｎ）によって該サブバンドのチャネル情報を取得し、或いは該コードワードＷ１を該サブバンドのチャネル情報に表示し、その中、該ｎ−１個の行列は規定値であり、ｎは整数であり、或いは該コードワードＷ１によって該サブバンドのチャネル情報を取得する。
【００９０】
その中に、取得モジュールは、以下の方式によってサブバンドのチャネル情報を取得するように設置され：該端末は該ＰＭＩ情報の数をｒと確定する場合に、該ＰＭＩ情報と該ＲＩ情報によって該第１のコードブックから該コードワードＷ１を見つけ、且つ共ｒ個のＰＭＩ情報における該ＰＭＩ１情報以外の他のｒ−１個のＰＭＩ情報によって対応するコードブックから対応するｒ−１個の行列を見つけ、該コードワードＷ１及び共ｎ−１個の行列の関数Ｆ（Ｗ１、Ｗ２、…、Ｗｎ）によって該サブバンドのチャネル情報を取得し、その中、該ｎ−１個の行列の中に該ｒ−１個の行列以外のｎ−ｒ個の行列は規定値であり、或いは基地局は該コードワードＷ１及び該ｒ−１個の行列の関数ｆ（Ｗ１、Ｗ２、…、Ｗｒ）によってサブバンドのチャネル情報を取得し、その中、ｒは２以上の整数である。
【００９１】
実施例８、チャネル情報の配置装置であって、該装置は、
配置シグナリングを送信し、該配置シグナリングによって端末がフィードバックする必要があるコードブックインデックスインジケータ（ＰＭＩ）情報の数を指示するように設置される送信モジュールと、
該端末が送信したＰＭＩ情報及び現在のチャネルのランクインジケータ（ＲＩ）情報を受信するように設置される受信モジュールと、
該受信モジュールと接続され、ＰＭＩ情報及びＲＩ情報によってサブバンドのチャネル情報を取得するように設置される取得モジュールとを含み、
その中に、端末は該配置情報によってフィードバックする必要があるＰＭＩ情報を確定するように設置され、
その中に、送信モジュールは、端末がフィードバックするチャネルのランク或いは極性配置情報によって端末がフィードバックする必要がある該ＰＭＩ情報の数を確定するように設置され、
送信モジュールは、該配置シグナリングを高層チャネルＲＲＣシグナリング或いは物理ダウンリンク制御チャネルＰＤＣＣＨに載せて該端末に送信するように設置される。
【００９２】
当業者は、前記の本発明における各モジュール或いは各ステップは、汎用の計算装置によって実現することができ、それらは単一の計算装置に集中することができ、或いは複数の計算装置からなるネットワークに配布することもでき、選択的に、それらは計算装置が執行することができるプログラムコードによって実現することもでき、したがって、それらを記憶装置に記憶して計算装置によって執行し、或いはそれらをそれぞれの集積回路モジュールに製造させ、或いはそれらにおける複数のモジュール或いはステップを単一の集積回路モジュールに製造させて実現することができることを了解する。このように、本発明はいずれの特定のハードウェアとソフトウェアに制限されない。
【００９３】
本発明に記載の実施様態は以上のようであるが、前記の内容は容易に本発明を理解するために採用された実施様態であり、本発明を限定するものではない。本発明が属する技術分野における当業者は、本発明に記載の趣旨と範囲を離れないもとに、実施の形式及び具体的なところに任意の修正及び変更を行うことができ、しかし、本発明は、特許の保護範囲において、依然として付属された請求項に限定された範囲を基準とする。
【産業上の利用可能性】
【００９４】
現在の技術と比較すると、多種のフィードバック精度を提供することができ、具体的な需要によって弾力的に異なる精度のフィードバックを配置することができ、有効的にフィードバックのオーバヘッドを利用した。
【図１】
0005540147.tif 000014
【図２】
0005540147.tif 000015
【図３】
0005540147.tif 000016
【図４】
0005540147.tif 000017